【手続補正書】
【提出日】平成23年4月6日(2011.4.6)
【手続補正１】
【補正対象書類名】特許請求の範囲
【補正対象項目名】全文
【補正方法】変更
【補正の内容】
【特許請求の範囲】
【請求項１】
電力変換器用の制御器であって、
前記電力変換器の入力電圧を表す入力信号を受信するように連結される入力電圧センサと、
電力スイッチ内を流れる電流を感知するように連結される電流センサと、
オン時間の間中オン状態に、オフ時間中オフ状態に前記電力スイッチをドライブするように連結されるドライブ信号発生器と
を含み、前記電力スイッチがオン状態にあるときに前記電力スイッチ内を流れる電流が２つの電流値の間で変化するのにかかる時間で乗算された前記入力信号の値に比例するように前記電力スイッチのスイッチング・サイクル周期を調整するように前記ドライブ信号発生器が連結される制御器。
【請求項２】
前記２つの電流値のうちの一方が実質的にゼロである、請求項１に記載の電力変換器用の制御器。
【請求項３】
前記２つの電流値のうちの一方が保護電流限度値である、請求項１に記載の電力変換器用の制御器。
【請求項４】
前記入力信号が電圧である、請求項１に記載の電力変換器用の制御器。
【請求項５】
前記入力信号が、前記電力変換器の入力電圧を表す電流信号である、請求項１に記載の電力変換器用の制御器。
【請求項６】
前記電力スイッチの前記スイッチング・サイクル周期が前記電力変換器のエネルギー伝達素子のインダクタンスの変化に応答する、請求項１に記載の電力変換器用の制御器。
【請求項７】
前記ドライブ信号発生器に信号を供給するように連結される発振回路をさらに含む、請求項１に記載の電力変換器用の制御器。
【請求項８】
前記電流センサの出力及び前記入力電圧センサの出力を処理するように連結されるタイミング及び乗算回路をさらに含み、前記発振回路が前記タイミング及び乗算回路に応答するように連結される、請求項７に記載の電力変換器用の制御器。
【請求項９】
電力変換器用の制御器であって、
前記電力変換器の入力電圧を表す入力信号を受信するように連結される入力電圧センサと、
電力スイッチ内を流れる電流を感知するように連結される電流センサと、
オン時間の間中オン状態に、オフ時間中オフ状態に前記電力スイッチをドライブするように連結されるドライブ信号発生器とを含み、前記電力スイッチがオン状態にあるときに前記電力スイッチ内を流れる電流が２つの電流値の間で変化するのにかかる時間で乗算された前記入力信号の値に比例するように前記電力スイッチのデューティ・サイクルを調整するように前記ドライブ信号発生器が連結される制御器。
【請求項１０】
前記２つの電流値のうちの一方が実質的にゼロである、請求項９に記載の電力変換器用の制御器。
【請求項１１】
前記２つの電流値のうちの一方が保護電流限度値である、請求項９に記載の電力変換器用の制御器。
【請求項１２】
前記ドライブ信号発生器に信号を供給するように連結される発振回路をさらに含む、請求項９に記載の電力変換器用の制御器。
【請求項１３】
前記電流センサの出力と前記入力電圧センサの出力を処理するように連結されるタイミング及び乗算回路をさらに含み、前記発振回路が前記タイミング及び乗算回路に応答するように連結される、請求項１２に記載の電力変換器用の制御器。
【請求項１４】
電力変換器用の制御器であって、
前記電力変換器の入力電圧を表す入力信号を受信するように連結される入力電圧センサと、
電力スイッチ内を流れる電流を感知するように連結される電流センサと、
オン時間の間中オン状態に、オフ時間中オフ状態に前記電力スイッチをドライブするように連結されるドライブ信号発生器と
を含み、前記電力スイッチがオン状態にあるときに前記電力スイッチ内を流れる電流が２つの電流値の間で変化するのにかかる時間と対照の時間との間の差異に応答して前記電力スイッチのスイッチング・サイクル周期を調整するように前記ドライブ信号発生器が連結される制御器。
【請求項１５】
前記２つの電流値のうちの一方が実質的にゼロである、請求項１４に記載の電力変換器用の制御器。
【請求項１６】
前記２つの電流値のうちの一方が保護電流限度値である、請求項１４に記載の電力変換器用の制御器。
【請求項１７】
前記電力スイッチがオン状態にあるときに前記電力スイッチ内を流れる電流が２つの電流値の間で変化するのにかかる時間が前記対照の時間より長い場合に、制御器が前記電力スイッチの前記スイッチング・サイクル周期を増加させるように連結される、請求項１４に記載の電力変換器用の制御器。
【請求項１８】
前記電力スイッチがオン状態にあるときに前記電力スイッチ内を流れる電流が２つの電流値の間で変化するのにかかる時間が前記対照の時間より短い場合に、制御器が前記電力スイッチの前記スイッチング・サイクル周期を減少させるように連結される、請求項１４に記載の電力変換器用の制御器。
【請求項１９】
前記ドライブ信号発生器によって受信される信号を生成するように連結される発振回路をさらに含む、請求項１４に記載の電力変換器用の制御器。
【請求項２０】
前記電流センサの出力と前記入力電圧センサの出力を処理するように連結されるタイミング及び乗算回路をさらに含み、前記発振回路が前記タイミング及び乗算回路に応答するように連結される、請求項１９に記載の電力変換器用の制御器。
【請求項２１】
電力変換器を制御する方法であって、
オン状態とオフ状態との間で電力スイッチをスイッチングさせるステップと、
前記電力変換器の入力電圧を表す入力信号を感知するステップと、
前記電力スイッチ内を流れる電流を感知するステップと、
前記電力スイッチがオン状態にあるときに前記電力スイッチ内を流れる電流が２つの電流値の間で変化するのにかかる時間で乗算された前記入力信号の値に比例するように前記電力スイッチのスイッチング・サイクル周期を調整するステップと
を含む方法。
【請求項２２】
前記電力スイッチ内を流れる電流が実質的にゼロから前記２つの電流値のうちの第２の値に変化するのにかかる時間を判定するステップをさらに含む、請求項２１に記載の電力変換器を制御する方法。
【請求項２３】
前記電力スイッチ内を流れる電流が前記２つの電流値のうちの第１の値から保護電流限度値に変化するのにかかる時間を判定するステップをさらに含む、請求項２１に記載の電力変換器を制御する方法。
【請求項２４】
前記電力変換器の前記入力電圧を表す前記入力信号を感知するステップが電圧を感知するステップを含む、請求項２１に記載の電力変換器を制御する方法。
【請求項２５】
前記電力変換器の前記入力電圧を表す前記入力信号を感知するステップが、前記電力スイッチがオン状態にある期間中に電流を感知するステップを含む、請求項２１に記載の電力変換器を制御する方法。
【請求項２６】
電力変換器用の制御器であって、
前記電力変換器の入力電圧を表す入力信号を受信するように連結される入力電圧センサと、
電力スイッチ内を流れる電流を感知するように連結される電流センサと、
オン時間の間中オン状態に、オフ時間中オフ状態に前記電力スイッチをドライブするように連結されるドライブ信号発生器とを含み、前記電力スイッチがオン状態にあるときに前記電力スイッチ内を流れる電流が２つの電流値の間で変化するのにかかる時間と対照時間との差異に応答して前記電力スイッチのデューティ・サイクルを調整するように前記ドライブ信号発生器が連結される制御器。
【請求項２７】
前記２つの電流値のうちの一方が実質的にゼロである、請求項２６に記載の電力変換器用の制御器。
【請求項２８】
前記２つの電流値のうちの一方が保護電流限度値である、請求項２６に記載の電力変換器用の制御器。
【請求項２９】
前記ドライブ信号発生器によって受信される信号を生成するように連結される発振回路をさらに含む、請求項２６に記載の電力変換器用の制御器。
【請求項３０】
前記電流センサの出力と前記入力電圧センサの出力とを処理するように連結されるタイミング及び乗算回路をさらに含み、前記発振回路が前記タイミング及び乗算回路に応答するように連結される、請求項２９に記載の電力変換器用の制御器。
【請求項３１】
電力変換器を制御する方法であって、
オン状態とオフ状態との間で電力スイッチをスイッチングさせるステップと、
前記電力変換器の入力電圧を表す入力信号を感知するステップと、
前記電力スイッチ内を流れる電流を感知するステップと、
前記電力スイッチがオン状態にあるときに前記電力スイッチ内を流れる電流が２つの電流値の間で変化するのにかかる時間と対照時間との差異に応答して前記電力スイッチのデューティ・サイクルを調整するステップと
を含む方法。
【請求項３２】
前記電力スイッチ内を流れる電流が実質的にゼロから前記２つの電流値のうちの第２の値に変化するのにかかる時間を判定するステップをさらに含む、請求項３１に記載の電力変換器を制御する方法。
【請求項３３】
前記電力スイッチ内を流れる電流が前記２つの電流値のうちの第１の値から保護電流限度値に変化するのにかかる時間を判定するステップをさらに含む、請求項３１に記載の電力変換器を制御する方法。
【請求項３４】
前記電力変換器の前記入力電圧を表す前記入力信号を感知するステップが電圧を感知するステップを含む、請求項３１に記載の電力変換器を制御する方法。
【請求項３５】
前記電力変換器の前記入力電圧を表す前記入力信号を感知するステップが、前記電力スイッチがオン状態にある期間中に電流を感知するステップを含む、請求項３１に記載の電力変換器を制御する方法。